(57)【要約】【課題】下方に開口して屋外と連通する通気口に設置され、該通気口内への雨水の浸入を防ぐ雨水止部材において、通気口内への雨水の浸入を防ぐとともに空気の流通を確保する。【解決手段】下方に開口して屋外と連通する笠木通気口に設置され、笠木通気口内への雨水の浸入を防ぐ雨水止部材１において、少なくとも２回転の渦状もしくは少なくとも２重の環状である断面形状を有し、かつ前記笠木通気口を通過する空気の流路方向に対して直交して配置される筒状体５を備え、この筒状体５に、その径方向に貫通した小孔６ａ，ｂを複数形成する。【選択図】図１
2007023507.tif 000002
【特許請求の範囲】
【請求項１】
下方に開口して屋外と連通する通気口に設置され、該通気口内への雨水の浸入を防ぐ雨水止部材において、
少なくとも２回転の渦状もしくは少なくとも２重の環状である断面形状を有し、かつ前記通気口を通過する空気の流路方向に対して直交して配置される筒状体を備え、
この筒状体には、その径方向に貫通した小孔が複数設けられていることを特徴とする雨水止部材。
【請求項２】
前記筒状体は弾性材から形成されていることを特徴とする請求項１に記載の雨水止部材。
【請求項３】
前記筒状体の外周面には、該筒状体の軸方向に沿って平面部が形成されていることを特徴とする請求項１又は２に記載の雨水止部材。
【請求項４】
前記複数の小孔は、前記筒状体の径方向において、重ならないか又は一部が重なるようにして前記筒状体に形成されていることを特徴とする請求項１〜３のいずれか一項に記載の雨水止部材。
【請求項５】
請求項１〜４のいずれか一項に記載の雨水止部材を用いたパラペットの換気構造であって、
内部に通気路が形成されたパラペットと該パラペットの上部に設けられる笠木との間に前記通気路に連通する笠木通気口が形成されており、
前記雨水止部材は、前記笠木通気口に該笠木通気口を通過する空気の流路方向に対して直交して設置されていることを特徴とするパラペットの換気構造。
【発明の詳細な説明】
【技術分野】
【０００１】
本発明は、下方に開口して屋外と連通する通気口に設置され、該通気口内への雨水の浸入を防ぐ雨水止部材、及びこれを用いたパラペットの換気構造に関する。
【背景技術】
【０００２】
一般に、パラペットと該パラペットの上部に設けられる笠木との間には、下方に開口した通気口が設けられることがある。この通気口は、パラペットが形成された壁体の内部に設けられた通気路を介して小屋裏等に連通しており、これら小屋裏等の換気を行うためのものである。
ところで、この通気口では、雨水が強い場合等には通気口内へと雨水が浸入し、壁体内や小屋裏等が濡れて劣化しやすくなるという問題があった。そのため、通気口に開閉可能な雨水止部材を設け、雨水が強い場合等にこの雨水止部材を閉めることで通気口内への雨水の浸入を防ぐ技術が知られている（特許文献１参照）。
【特許文献１】特開２００３−２０６６０６号公報
【発明の開示】
【発明が解決しようとする課題】
【０００３】
しかしながら、特許文献１のような雨水止部材では、常時開放しておくと換気をすることはできるが通気口内へと雨水が浸入するという問題があり、また、雨水時に雨水止部材を閉じると通気口内への雨水の浸入を防ぐことはできるが、長雨時には長時間雨水止部材を閉めておく必要があるため、建物内を換気することができないという問題があった。
【０００４】
本発明の課題は、下方に開口して屋外と連通する通気口に設置され、該通気口内への雨水の浸入を防ぐ雨水止部材において、通気口内への雨水の浸入を防ぐとともに空気の流通を確保することである。
【課題を解決するための手段】
【０００５】
以上の課題を解決するため、請求項１に記載の発明は、例えば図１及び２に示すように、下方に開口して屋外と連通する通気口（例えば、笠木通気口３ａ）に設置され、該通気口（例えば、笠木通気口３ａ）内への雨水の浸入を防ぐ雨水止部材１において、
少なくとも２回転の渦状もしくは少なくとも２重の環状である断面形状を有し、かつ前記通気口（例えば、笠木通気口３ａ）を通過する空気の流路方向に対して直交して配置される筒状体５を備え、
この筒状体５には、その径方向に貫通した小孔６ａ，６ｂが複数設けられていることを特徴としている。
【０００６】
請求項１に記載の発明によれば、雨水止部材１は、少なくとも２回転の渦状もしくは少なくとも２重の環状である断面形状を有し、かつ空気の流路方向に対して直交して配置される筒状体５を備え、この筒状体５には、その径方向に貫通した小孔６ａ，６ｂが複数設けられている。よって、雨水止部材１は、空気が小孔６ａ，６ｂ内を通過することによって、通気口（例えば、笠木通気口３ａ）内への空気の流通を確保することができる。また、空気が小孔６ａ，６ｂ内を通過するときには、空気に含まれた雨水等の水滴は筒状体５の小孔６ａ，６ｂの縁や内周面に付着し、さらに筒状体５を空気が通過するには、空気は小孔６ａ，６ｂ内を少なくとも４回通過することになる。よって、雨水止部材１内を通過する空気に含まれる雨水等の水滴を除去することができ、通気口（例えば、笠木通気口３ａ）内への雨水の浸入を防ぐことができる。
【０００７】
請求項２に記載の発明は、請求項１に記載の雨水止部材１において、前記筒状体５は弾性材から形成されていることを特徴としている。
【０００８】
請求項２に記載の発明によれば、筒状体５は弾性材から形成されているため、容易に変形させることができる。よって、通気口（例えば、笠木通気口３ａ）の幅が狭くても雨水止部材１を容易に設置することができる。
【０００９】
請求項３に記載の発明は、例えば図１に示すように、請求項１又は２に記載の雨水止部材１において、前記筒状体５の外周面には、該筒状体５の軸方向に沿って平面部５ｃが形成されていることを特徴としている。
【００１０】
請求項３に記載の発明によれば、筒状体５の外周面には、筒状体５の軸方向に沿って平面部５ｃが形成されているため、雨水止部材１の設置個所に平面部５ｃを当接させることによって、雨水止部材１を安定した状態で設置することができる上に、止着材等によって雨水止部材１を容易に設置することができる。
【００１１】
請求項４に記載の発明は、例えば図１及び２に示すように、請求項１〜３のいずれか一項に記載の雨水止部材１において、前記複数の小孔６ａ，６ｂは、前記筒状体５の径方向において、重ならないか又は一部が重なるようにして前記筒状体５に形成されていることを特徴としている。
【００１２】
請求項４に記載の発明によれば、複数の小孔６ａ，６ｂは、筒状体５の径方向において、重ならないか又は一部が重なるようにして筒状体５に形成されている。よって、空気は、筒状体５内をその径方向に直線的に通過できず、空気の流れが乱れて蛇行しながら小孔６ａ，６ｂ内を通過する。従って、空気に含まれた雨水等の水滴は筒状体５の小孔６ａ，６ｂの縁や内周面に付着しやすくなり、雨水等の水滴を効率的に除去することができるため、通気口（例えば、笠木通気口３ａ）内への雨水の浸入を防ぐことができる。
【００１３】
請求項５に記載の発明は、例えば図２に示すように、請求項１〜４のいずれか一項に記載の雨水止部材１を用いたパラペットの換気構造であって、内部に通気路２ａが形成されたパラペット２と該パラペット２の上部に設けられる笠木３との間に前記通気路２ａに連通する笠木通気口３ａが形成されており、
前記雨水止部材１は、前記笠木通気口３ａに該笠木通気口３ａを通過する空気の流路方向に対して直交に設置されていることを特徴としている。
【００１４】
請求項５に記載の発明によれば、内部に通気路２ａが形成されたパラペット２と該パラペット２の上部に設けられる笠木３との間に通気路２ａに連通する笠木通気口３ａが形成され、雨水止部材１は、笠木通気口３ａに該笠木通気口３ａを通過する空気の流路方向に対して直交に設置されている。よって、笠木通気口３ａから通気路２ａへと流通する空気に含まれる雨水等の水滴を除去することができ、笠木通気口３ａ内への雨水の浸入を防ぐことができるとともに、笠木通気口３ａ内への空気の流通を確保することができる。
【発明の効果】
【００１５】
本発明によれば、空気が小孔内を通過することによって、通気口内への空気の流通を確保することができる。また、雨水止部材内を通過する空気に含まれる雨水等の水滴を除去することができ、通気口内への雨水の浸入を防ぐことができる。
【発明を実施するための最良の形態】
【００１６】
以下、図を参照して本発明を実施するための最良の形態を詳細に説明する。
図２は、フラットルーフの建物の外壁上部に設けられたパラペット２の断面図であり、このパラペット２と、該パラペット２の上部に設けられた笠木３との間に笠木通気口３ａが形成され、この笠木通気口３ａに雨水止部材１が設置されている。
【００１７】
図２に示すように、パラペット２は外壁パネル４の上部に形成され、その内部には小屋裏等に連通する通気路２ａが設けられており、この通気路２ａは外壁パネル４と該外壁パネル４に設けられたサイディング４ａとの間に形成されている。また、パラペット２の上部には、笠木受材３ｂを介して笠木３が設けられており、この笠木３とパラペット２との間に通気路２ａへと連通する笠木通気口３ａが形成されている。
【００１８】
図１に示すように、雨水止部材１は、樹脂等の弾性材からなる筒状体５を備えており、この筒状体５は、該筒状体５の外周面を形成する外部筒５ａと、該外部筒５ａの内側に設けられた内部筒５ｂと、を備えている。
【００１９】
外部筒５ａは、該外部筒５ａの軸方向、すなわち筒状体５の軸方向に沿って形成された平面部５ｃを有しており、外部筒５ａの断面形状は、平面部５ｃが１長辺を構成する略長方形状となっている。また、平面部５ｃに対向する面は、外部筒５ａの径方向外側に突出した曲面部５ｄとなっている。さらに、内部筒５ｂは、円筒状をしており、外部筒５ａの内部に挿入された状態で、該内部筒５ｂの外周面の一部が外部筒５ａの平面部５ｃに溶着されている。なお、内部筒５ｂは、外部筒５ａの曲面部５ｄには当接していない。
【００２０】
外部筒５ａ及び内部筒５ｂには、それらの径方向に貫通した小孔６ａ，６ｂが複数設けられている。さらに詳しくは、外部筒５ａの周面に設けられた複数の小孔６ａは、図１（ｂ）に示すように、略長方形の同じ形状を有しており、これらの小孔６ａが、それらの辺同士を近接させて外部筒５ａの周方向及び軸方向に整然と設けられている。また、内部筒５ｂの周面に設けられた複数の小孔６ｂは、図１（ｃ）に示すように、略平行四辺形の形状を有しており、これらの小孔６ｂは内部筒５ｂの軸方向に平行に設けられるとともに、周方向には蛇行して設けられている。このように、外部筒５ａの小孔６ａ及び内部筒５ｂの小孔６ｂは、筒状体５の径方向において、重ならないか又は一部が重なるようにして形成されている。
【００２１】
また、筒状体５は、平面部５ｃをテープや接着剤等で笠木３の内側に当接させた状態で、笠木通気口３ａに該笠木通気口３ａを通過する空気の流路方向に対して直交して配置されている。
【００２２】
以上の実施形態において、雨水止部材１は、２重の環状である断面形状を有し、かつ空気の流路方向に対して直交して配置される筒状体５を備え、この筒状体５には、その径方向に貫通した小孔６ａ，６ｂが複数設けられている。よって、雨水止部材１は、空気が小孔６ａ，６ｂ内を通過することによって、笠木通気口３ａ内への空気の流通を確保することができる。また、空気が小孔６ａ，６ｂ内を通過するときには、空気に含まれた雨水等の水滴は筒状体５の小孔６ａ，６ｂの縁や内周面に付着し、さらに筒状体５を空気が通過するには、空気は小孔６ａ，６ｂ内を少なくとも４回通過することになる。よって、雨水止部材１内を通過する空気に含まれる雨水等の水滴を除去することができ、笠木通気口３ａ内への雨水の浸入を防ぐことができる。
【００２３】
また、筒状体５は弾性材から形成されているため、容易に変形させることができる。よって、笠木通気口３ａの幅が狭くても雨水止部材１を容易に設置することができる。さらに、筒状体５の外周面には、筒状体５の軸方向に沿って平面部５ｃが形成されているため、雨水止部材１の設置個所に平面部５ｃを当接させることによって、雨水止部材１を安定した状態で設置することができる上に、止着材等によって雨水止部材１を容易に設置することができる。
【００２４】
また、複数の小孔６ａ，６ｂは、筒状体５の径方向において、重ならないか又は一部が重なるようにして筒状体５に形成されている。よって、空気は、筒状体５内をその径方向に直線的に通過できず、空気の流れが乱れて蛇行しながら小孔６ａ，６ｂ内を通過する。従って、空気に含まれた雨水等の水滴は筒状体５の小孔６ａ，６ｂの縁や内周面に付着しやすくなり、雨水等の水滴を効率的に除去することができるため、笠木通気口３ａ内への雨水の浸入を防ぐことができる。
【００２５】
なお、以上の実施形態においては、雨水止部材１をパラペット２と笠木３との間の笠木通気口３ａに設けたが、本発明はこれに限定されるものではなく、建物の外壁や軒等、下方に開口して屋外と連通する通気口であればどこでもよい。
また、筒状体５の断面形状を外部筒５ａ及び内部筒５ｂの２重の環状としたが、３重、４重の環状としてもよいし、複数回転の渦状としてもよい。
さらに、外部筒５ａの周面に設けた小孔６ａは、外部筒５ａの軸方向及び周方向に整然と配列させ、内部筒５ｂの周面に設けた小孔６ｂは、内部筒５ｂの周方向に蛇行させたが、これらの小孔６ａ，６ｂは筒状体５の径方向において重ならないか又は一部が重なるほうにして形成されればよい。すなわち、外部筒５ａの小孔６ａを該外部筒５ａの軸方向又は周方向に蛇行させたり、内部筒５ｂの小孔６ｂを該内部筒５ｂの軸方向に蛇行させてもよい。
【図面の簡単な説明】
【００２６】
【図１】本発明に係る雨水止部材の構成を示すもので、（ａ）が雨水止部材の正面図、（ｂ）が外部筒の側面図、（ｃ）が内部筒の側面図である。
【図２】本発明に係る雨水止部材を用いたパラペット構造を示す部分断面図である。
【符号の説明】
【００２７】
１  雨水止部材
２  パラペット
２ａ  通気路
３  笠木
３ａ  笠木通気口
５  筒状体
５ｃ  平面部
６ａ，ｂ  小孔
【図１】
2007023507.tif 000003
【図２】
2007023507.tif 000004